(57)【要約】【課題】剣道用甲手の手の甲側、緩衝材、手の内側の全体の通気性を高め、緩衝材に浸透した汗を早期に蒸発させて乾燥させることが可能な剣道用甲手を提供する。【解決手段】手の甲側と手の内側とを皮革、合成皮革等で覆い、内部に手を挿入する袋を取り付け、それらの間に緩衝材を充填した上で、手の甲側の皮革の全域に小孔を狭い間隔で多数設ける。手の内側の皮革にも全域に小孔を狭い間隔で多数設ける。小孔は直径０．５〜２ｍｍの丸孔で、孔と孔の間隔を２〜５ｍｍとして形成する。【選択図】図１
0003178721.tif 000002
【実用新案登録請求の範囲】
【請求項１】
手の甲側と手の内側とを皮革、合成皮革等で覆い、内部に手を挿入する袋を取り付け、それらの間に緩衝材を充填した剣道用甲手において、前記手の甲側の皮革の全域に小孔を狭い間隔で多数設けたことを特徴とする剣道用甲手。
【請求項２】
請求項１に記載の剣道用甲手において、前記手の内側の皮革にも全域に小孔を狭い間隔で多数設けたことを特徴とする剣道用甲手。
【請求項３】
請求項１又は２に記載の剣道用甲手において、前記小孔は直径０．５〜２ｍｍの丸孔で、孔と孔の間隔を２〜５ｍｍとして形成してあることを特徴とする剣道用甲手。
【考案の詳細な説明】
【技術分野】
【０００１】
本考案は、剣道競技に使用される剣道用甲手に関する。
【背景技術】
【０００２】
剣道用甲手は手から肘にかけての部位を相手の竹刀による打撃から保護する防具である。甲手は図３に示すように、手の甲側を覆って拳を守る甲手頭２１と生子(けら）２２、手の平側を覆う手の内２３、腕部分を覆う小手布団２４、甲部と腕部とを繋ぐ筒２５とから構成される。甲部分と手の内２３との間には手を挿入する袋状空間が設けてあり、手を挿入した状態で小手布団２４を小手紐２６で腕に締め付けて固定する。甲側の甲手頭２１と生子２２の表面材には合成皮革、刺子生地の綿、鹿革等が、手の内２３には薄い鹿革や合成皮革が、手の接触する甲部の内側材には吸汗、速乾性を備えた合成綿、鹿毛等が使用される。表面材と内側材との間には緩衝材として圧縮綿や合成繊維が充填されている。
【０００３】
甲手は竹刀の柄をしっかり握った状態で振り回すことに使用されるため、その激しい運動と緊張により剣士の手から多量の発汗がある。汗は手の内２３の革を濡らし、充填された圧縮綿や合成繊維にも浸透して湿らせる。これら緩衝材に汗が浸透すると、甲側表面材や手の内材は革で形成されているため乾燥が妨げられ、緩衝材は長期に渡り湿った状態となり衛生上よくない。また、緩衝材が湿った状態では竹刀の柄を握ったときの感覚が乾燥しているときと異なったものになるため競技にも差し支える。
【０００４】
こうした問題を解決すべく、特許文献１には図４に示すように手の内革２８に幾つかの小孔２９を穿つことにより手の内革２８の耐久性と竹刀の把持感の向上を図り、併せて保存性や衛生面での改善を図った甲手が開示されている。しかし、この甲手の場合、小孔２９としては直径５ｍｍ前後のものが数個、手の内革２８だけに設けられているに過ぎない。そのため、通気性が若干良くなるだけで緩衝材に浸透した汗を積極的に外部に蒸発させ、緩衝材を早期に元の乾燥状態に戻す機能は低い問題がある。
【０００５】
また、特許文献２にも手の内部の表皮材に多角形の孔を多数設けた剣道用甲手が開示されている。しかし、この剣道用甲手の場合、多数の多角形の孔を設けた目的は手の内部の伸縮性を高めることにより応力集中を緩和し、手の内部の破断を未然に防止することにあり、通気性を良くしたり汗で湿った緩衝材を早期に元の乾燥状態に戻すことを目的としたものではない。
【０００６】
また、特許文献３にも手の内の表皮材にかなりの数の孔を設けた剣道用甲手が開示されている。しかし、この剣道用甲手の場合、考案は手の内に抗菌防臭処理を施して発汗の多い部位である甲手の衛生状態を向上させることにある。手の内に孔を設けることは通気をよくするとともにすべり止め機能を付与するために孔を穿設するようにしてもよいと付記的に記載されているに過ぎない。
【先行技術文献】
【特許文献】
【０００７】
【特許文献１】実開昭６０−４７５７９号公報
【特許文献２】実開平７−３３３８０号公報
【特許文献３】実用新案登録第３０６２１０７号
【考案の開示】
【考案が解決しようとする課題】
【０００８】
本考案は、従来技術のこうした問題点を解決するためになされたもので、その課題は剣道用甲手の手の甲側、緩衝材、手の内側の全体の通気性を高めると同時に、緩衝材に浸透した汗を早期に蒸発させて緩衝材を早期に元の乾燥状態に戻させることの可能な剣道用甲手を提供することにある。
【課題を解決するための手段】
【０００９】
前記課題を解決するための請求項１に記載の考案は、手の甲側と手の内側とを皮革、合成皮革等で覆い、内部に手を挿入する袋を取り付け、それらの間に緩衝材を充填した剣道用甲手において、前記手の甲側の皮革の全域に小孔を狭い間隔で多数設けたことを特徴とする剣道用甲手である。
【００１０】
このように小孔を狭い間隔で多数設ければ、緩衝材、手の甲側間の通気性が高まり湿気が滞留しにくくなる。また、緩衝材が汗で湿ったとしても無数の小孔を通して湿気は速やかに放出され、短い時間で元の乾燥状態に戻させることができる。
【００１１】
また、請求項２に記載の考案は、請求項１に記載の剣道用甲手において、前記手の内側の皮革にも全域に小孔を狭い間隔で多数設けたことを特徴とする剣道用甲手である。
【００１２】
このように手の内側にも全域に小孔を狭い間隔で多数設ければ、通気性が更に高まり湿気が滞留しにくくなる。緩衝材に浸透した汗は無数の小孔を通して速やかに放出され、短い時間で元の乾燥状態に戻させることができる。
【００１３】
また、請求項３に記載の考案は、請求項１又は２に記載の剣道用甲手において、前記小孔は直径０．５〜２ｍｍの丸孔で、孔と孔の間隔を２〜５ｍｍとして形成してあることを特徴とする剣道用甲手である。
【００１４】
このような形状の小孔を無数に形成すれば、請求項１、２記載の考案の効果が発揮される。
【図面の簡単な説明】
【００１５】
【図１】本考案に係る剣道用甲手の手の甲側の外観図である。
【図２】本考案に係る剣道用甲手の手の内側の外観図である。
【図３】従来の剣道用甲手の外観図である。
【図４】手の内側に数個の孔を設けただけの従来の剣道用甲手の外観図である。
【考案を実施するための形態】
【００１６】
以下、本考案に係る剣道用甲手の一実施形態について図面を参照して説明する。図１は本考案に係る剣道用甲手１の手の甲側の外観図、図２は手の内側の外観図ある。剣道用甲手１は、従来の剣道用甲手と同じような形状に形成されている。手の甲側は図１の外観図に示すように、指先側から順に甲手頭２、生子(けら）３、筒４、小手布団５が設けられている。図示の剣道用甲手１では、生子３は２個設けられているが１個でもよい。甲手頭２と生子３が手の甲部分に当たる。
【００１７】
手の甲部分の反対側となる手の内側(手の平側）には、図２の外観図に示すように手の内６が設けられている。小手布団５には小手紐７が取り付けられている。手の甲側と手の内側に挟まれた内部には手を挿入する袋が形成されており、その袋と手の甲側、手の内側との間には緩衝材が充填されている。袋に手を挿入した状態で筒状の小手布団５を小手紐７で腕に締め付けて固定する。
【００１８】
手の甲部分に当たる甲手頭２と生子３には合成皮革や天然皮革を、手の内側の手の内６には薄い鹿革や合成皮革を使用する。手の接触する内部の袋には吸汗、速乾性を備えた合成繊維を、緩衝材には抗菌処理した圧縮綿や合成綿を用いる。
【００１９】
本考案の剣道用甲手１の特徴として、手の甲側に当たる甲手頭２と生子３、手の内側の手の内６には、その全域に渡り小孔１０が狭い間隔で無数に設けてある。小孔１０は直径０．５〜２ｍｍの丸孔で、孔と孔の間隔は２〜５ｍｍ程度で形成してある。好ましくは小孔１０は直径１ｍｍの丸孔とし、孔と孔の間隔を２ｍｍとするとよい。なお、小孔１０は手の甲側に当たる甲手頭２と生子３にのみ設けてもよい。また、反対に筒４や小手布団５の表面材、それらの内面側の表面材にも追加で設けてもよい。
【００２０】
甲手は竹刀の柄をしっかり握った状態で振り回すことに使用されるため、その激しい運動と緊張により剣士の手からは多量の発汗がある。汗は手の内６を濡らし、緩衝材に浸透して湿らせる。湿った手の内６や緩衝材は衛生上良くない上、湿った状態では手の微妙な感覚が竹刀にそのまま伝わりにくい。本実施形態の剣道用甲手１では無数の小孔１０が設けられているので手の内側、緩衝材、手の甲側間の通気性が高まり、湿気が滞留しにくくなる。緩衝材が汗で湿ったとしても手の内側、手の甲側に設けた無数の小孔１０を通して湿気は速やかに外部に放出され、短い時間で元の乾燥した状態に戻させることができる。
【符号の説明】
【００２１】
図面中、１は剣道用甲手、２は甲手頭、３は生子(けら）、４は筒４、５は小手布団、６は手の内、７は小手紐７、１０は小孔を示す。
【図１】
0003178721.tif 000003
【図２】
0003178721.tif 000004
【図３】
0003178721.tif 000005
【図４】
0003178721.tif 000006